【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
ビデオを処理する方法であって、
前記ビデオの現在のスライスについてのコロケートしたピクチャを識別するステップであって、前記現在のスライスは、現在の符号化ユニット（ＣＵ）と、前記現在のＣＵの近隣ＣＵとを含み、前記近隣ＣＵは、参照ピクチャと関連付けられている、ステップと、
前記近隣ＣＵの前記参照ピクチャと前記コロケートしたピクチャとの間の時間的差分を決定するステップと、
前記近隣ＣＵの前記参照ピクチャと前記コロケートしたピクチャとの間の前記時間的差分に基づいて、前記現在のＣＵについての動きベクトル（ＭＶ）を決定するステップであって、前記時間的差分が、前記参照ピクチャが前記コロケートしたピクチャと異なることを示している条件で、前記現在のＣＵについての前記ＭＶがデフォルト値に設定される、ステップと、
前記決定されたＭＶに基づいて、前記現在のＣＵを予測するステップと
を備える方法。
【請求項２】
前記時間的差分が、前記参照ピクチャが前記コロケートしたピクチャと同じであることを示している条件で、前記現在のＣＵについての前記ＭＶが、前記近隣ＣＵの参照ＭＶであると決定される請求項１に記載の方法。
【請求項３】
前記近隣ＣＵの前記参照ピクチャは、ピクチャ順序カウント（ＰＯＣ）と関連付けられ、前記近隣ＣＵの前記参照ピクチャと前記コロケートしたピクチャとの間の時間的差分は、前記コロケートしたピクチャからのＰＯＣ差によって示される請求項１に記載の方法。
【請求項４】
前記近隣ＣＵは、前記現在のＣＵの複数の近隣ＣＵのうちの１つであり、前記近隣ＣＵは、前記近隣ＣＵのそれぞれの参照ピクチャと前記コロケートしたピクチャとの間のそれぞれの時間的差分に基づいて、候補近隣ＣＵとするために選択される請求項１に記載の方法。
【請求項５】
前記近隣ＣＵは、前記現在のＣＵの複数の近隣ＣＵのうちの１つであり、前記コロケートしたピクチャと同じ前記参照ピクチャを有する前記近隣ＣＵを識別したとき、前記近隣ＣＵは、さらなる近隣ＣＵを検討せずに、候補近隣ＣＵとするために選択される請求項１に記載の方法。
【請求項６】
プロセッサであって、
ビデオの現在のスライスについてのコロケートしたピクチャを識別し、前記現在のスライスは、現在の符号化ユニット（ＣＵ）と、前記現在のＣＵの近隣ＣＵとを含み、前記近隣ＣＵは、参照ピクチャと関連付けられており、
前記近隣ＣＵの前記参照ピクチャと前記コロケートしたピクチャとの間の時間的差分を決定し、
前記近隣ＣＵの前記参照ピクチャと前記コロケートしたピクチャとの間の前記時間的差分に基づいて、前記現在のＣＵについての動きベクトル（ＭＶ）を決定し、前記時間的差分が、前記参照ピクチャが前記コロケートしたピクチャと異なることを示している条件で、前記現在のＣＵについての前記ＭＶがデフォルト値に設定され、
前記決定されたＭＶに基づいて、前記現在のＣＵを予測する
ように構成されたプロセッサ
を備えたビデオ処理デバイス。
【請求項７】
前記時間的差分が、前記参照ピクチャが前記コロケートしたピクチャと同じであることを示している条件で、前記現在のＣＵについての前記ＭＶが、前記近隣ＣＵの参照ＭＶであると決定される請求項６に記載のビデオ処理デバイス。
【請求項８】
前記近隣ＣＵの前記参照ピクチャは、ピクチャ順序カウント（ＰＯＣ）と関連付けられ、前記近隣ＣＵの前記参照ピクチャと前記コロケートしたピクチャとの間の時間的差分は、前記コロケートしたピクチャからのＰＯＣ差によって示される請求項６に記載のビデオ処理デバイス。
【請求項９】
前記コロケートしたピクチャは、スライスヘッダ内のコロケートしたピクチャインジケーションに基づいて識別される請求項６に記載のビデオ処理デバイス。
【請求項１０】
前記近隣ＣＵは、前記現在のＣＵの複数の近隣ＣＵのうちの１つであり、前記近隣ＣＵは、前記近隣ＣＵのそれぞれの参照ピクチャと前記コロケートしたピクチャとの間のそれぞれの時間的差分に基づいて、候補近隣ＣＵとするために選択される請求項６に記載のビデオ処理デバイス。
【請求項１１】
前記近隣ＣＵは、前記現在のＣＵの複数の近隣ＣＵのうちの１つであり、前記コロケートしたピクチャと同じ前記参照ピクチャを有する前記近隣ＣＵを識別したとき、前記近隣ＣＵは、さらなる近隣ＣＵを検討せずに、候補近隣ＣＵとするために選択される請求項６に記載のビデオ処理デバイス。
【請求項１２】
前記近隣ＣＵは、参照ＭＶと関連付けられ、前記方法は、前記近隣ＣＵの前記参照ピクチャが、前記コロケートしたピクチャと異なる条件で、前記参照ＭＶに対して時間的スケーリングを実行するステップをさらに備える請求項１に記載の方法。
【請求項１３】
時間的スケーリングを実行する前記ステップは、前記参照ＭＶをスケーリング係数で乗算することを含み、前記スケーリング係数は、前記近隣ＣＵの前記参照ピクチャと前記コロケートしたピクチャとの間の時間的差分に基づく請求項１２に記載の方法。
【請求項１４】
前記現在のＣＵについての前記ＭＶは、コロケートしたＭＶを含み、前記コロケートしたＭＶは、前記コロケートしたピクチャ内の複数のコロケートしたブロックのうちの第１のコロケートしたブロックと関連付けられ、前記方法は、
前記現在のスライスに基づいて、前記コロケートしたピクチャの有効なコロケートしたブロック領域を識別するステップと、
前記コロケートしたブロックが前記領域内に配置されていない条件で、前記領域内に配置された第２のコロケートしたブロックを選択するステップと、
前記コロケートしたＭＶを、前記第２のコロケートしたブロックと関連付けられた第２のコロケートしたＭＶで置き換えるステップであって、前記第２のコロケートしたブロックは、前記第１のコロケートしたブロックへ最小距離を有していることに基づいて選択される、ステップと
をさらに備える請求項１に記載の方法。
【請求項１５】
前記プロセッサは、
前記現在のＣＵを１つまたは複数のサブブロックに細分化し、各サブブロックは、参照ＭＶに対応しており、
前記サブブロックについての前記参照ＭＶに基づいて、各サブブロックについて、前記コロケートしたピクチャからコロケートしたＭＶを識別する
ようにさらに構成された請求項６に記載のビデオ処理デバイス。
【請求項１６】
前記プロセッサは、エンコーダを含む請求項６に記載のビデオ処理デバイス。
【請求項１７】
前記プロセッサは、デコーダを含む請求項６に記載のビデオ処理デバイス。
【請求項１８】
エンコーダまたはデコーダによって実施される請求項１に記載の方法。
【請求項１９】
前記近隣ＣＵは、参照ＭＶと関連付けられ、前記プロセッサは、前記近隣ＣＵの前記参照ピクチャが、前記コロケートしたピクチャと異なる条件で、前記参照ＭＶに対して時間的スケーリングを実行するようさらに構成された請求項６に記載のビデオ処理デバイス。
【請求項２０】
前記時間的スケーリングを実行することは、前記参照ＭＶをスケーリング係数で乗算することを含み、前記スケーリング係数は、前記近隣ＣＵの前記参照ピクチャと前記コロケートしたピクチャとの間の時間的差分に基づく請求項１９に記載のビデオ処理デバイス。
【請求項２１】
１つ以上のプロセッサに、
ビデオの現在のスライスについてのコロケートしたピクチャを識別させ、前記現在のスライスは、現在の符号化ユニット（ＣＵ）と、前記現在のＣＵの近隣ＣＵとを含み、前記近隣ＣＵは、参照ピクチャと関連付けられており、
前記近隣ＣＵの前記参照ピクチャと前記コロケートしたピクチャとの間の時間的差分を決定させ、
前記近隣ＣＵの前記参照ピクチャと前記コロケートしたピクチャとの間の前記時間的差分に基づいて、前記現在のＣＵについての動きベクトル（ＭＶ）を決定させ、前記時間的差分が、前記参照ピクチャが前記コロケートしたピクチャと異なることを示している条件で、前記現在のＣＵについての前記ＭＶがデフォルト値に設定され、
前記決定されたＭＶに基づいて、前記現在のＣＵを予測させる
ための命令を含んでいるコンピュータ読取り可能媒体。